(57)【要約】【課題】使用者自身が発する音声の品質を向上させてその音声を相手に伝え易くすることができ、且つ使用者が周囲の音声を聞くことが可能な音声入力装置を提供する。【解決手段】音声入力装置を備えるイヤホンマイク１は、使用者の耳Ｅの外部で発生する外部音声を外耳道Ｅ１まで伝搬させるための外部音声伝搬路２２ｈと、外耳道Ｅ１に連通して耳Ｅの内部で発生する内部音声と外部音声とからなる混合音声を集音する第１集音部２４ｃと、耳Ｅの外部の空間に連通して外部音声を集音する第２集音部２４ｄと、第１集音部２４ｃが集音する混合音声と第２集音部２４ｄが集音する外部音声とを用いて混合音声に含まれる外部音声を低減させる処理を行うノイズ処理部の機能を有するマイク部２４と、を備える。【選択図】図３
2015023494.tif 000002
【特許請求の範囲】
【請求項１】
使用者の耳に装着される音声入力装置であって、
前記耳の外部で発生する外部音声を外耳道まで伝搬させるための外部音声伝搬路と、
前記外耳道に連通して前記耳の内部で発生する内部音声と前記外部音声とからなる混合音声を集音する第１集音部と、
前記耳の外部の空間に連通して前記外部音声を集音する第２集音部と、
前記第１集音部が集音する前記混合音声と前記第２集音部が集音する前記外部音声とを用いて前記混合音声に含まれる前記外部音声を低減させる処理を行うノイズ処理部と、
を備えることを特徴とする音声入力装置。
【請求項２】
前記第１集音部、前記第２集音部及び前記ノイズ処理部が一体として形成されることを特徴とする請求項１に記載の音声入力装置。
【請求項３】
前記耳側に前記外耳道に連通する開口部を備える本体筐体と、
前記開口部の箇所に設けた第１入力音孔から前記第１集音部まで延びる第１入力音声伝搬路と、
前記本体筐体の外面に設けた第２入力音孔から前記第２集音部まで延びる第２入力音声伝搬路と、
を備えることを特徴とする請求項１または請求項２に記載の音声入力装置。
【請求項４】
前記外部音声伝搬路は、一方の端部が前記第１入力音声伝搬路に接続し、他方の端部側が前記本体筐体の外面に設けた第３入力音孔まで延びることを特徴とする請求項３に記載の音声入力装置。
【請求項５】
前記外部音声伝搬路が、前記本体筐体の外面に設けた第３入力音孔から前記開口部の箇所に設けた出力音孔まで延びることを特徴とする請求項３に記載の音声入力装置。
【請求項６】
前記外部音声伝搬路が、自機の外面表面に設けられ前記耳の外部の空間と前記外耳道とを連通させる自機の内側に向かって窪んだ溝部からなることを特徴とする請求項３に記載の音声入力装置。
【請求項７】
請求項１〜請求項６のいずれか１項に記載の音声入力装置を備えたことを特徴とするイヤホンマイク。
【発明の詳細な説明】
【技術分野】
【０００１】
本発明は音声入力装置及びイヤホンマイクに関する。
【背景技術】
【０００２】
マイクロフォンを含む音声入力装置がイヤホンに組み込まれて一体となったイヤホンマイクが広く知られている。使用者が発する音声の一部は頭部の骨や筋肉を伝搬して鼓膜などを振動させ、外耳道に送出される。イヤホンに組み込まれた音声入力装置はこの耳の内部で発生する使用者自身の音声をマイクロフォンで集音する。
【０００３】
使用者は耳に装着したイヤホンマイクを通じて、スピーカから出力される通話相手の話し声や音楽などの音声を聴くことができ、マイクロフォンに入力される使用者自身の音声を通話相手に送ることができる。そのため、イヤホンマイクは携帯電話機などのハンズフリー通話などに利用されることが多い。このようにイヤホンに組み込まれた音声入力装置の一例が特許文献１に開示されている。
【０００４】
特許文献１に記載された従来の音声入力装置は一般的なイヤホンの形態をなす本体にマイクロフォンが組み込まれている。本体は耳の内部で発生する使用者自身の音声をマイクロフォンで集音するための開口を耳側に備え、この開口を有する以外に開口部がない。この従来の音声入力装置を使用者の耳に装着すると、本体の開口の箇所に設けたイヤーパッドの外周縁が外耳道の内面に接触して外耳道を密閉する。これにより、マイクロフォンで集音する際に使用者の周囲の音声が入ることを抑制し、音声入力装置の音質の向上を図っている。
【先行技術文献】
【特許文献】
【０００５】
【特許文献１】特開２００７−２３５７６８号公報
【発明の概要】
【発明が解決しようとする課題】
【０００６】
しかしながら、上記従来の音声入力装置は使用者の周囲の音声が外耳道に入ることを抑制しているので、使用者が周囲で起こる危険な状況を音を通じて察知することができない虞がある。したがって、上記従来の音声入力装置を工事現場や駅、交通量の多い場所などにおいて使用する際、安全性に懸念を抱くことになる可能性がある。
【０００７】
本発明は、上記の点に鑑みなされたものであり、使用者自身が発する音声の品質を向上させてその音声を相手に伝え易くすることができ、且つ使用者が周囲の音声を聞くことが可能な音声入力装置を提供することを目的とする。
【課題を解決するための手段】
【０００８】
上記の課題を解決するため、本発明は、使用者の耳に装着される音声入力装置であって、前記耳の外部で発生する外部音声を外耳道まで伝搬させるための外部音声伝搬路と、前記外耳道に連通して前記耳の内部で発生する内部音声と前記外部音声とからなる混合音声を集音する第１集音部と、前記耳の外部の空間に連通して前記外部音声を集音する第２集音部と、前記第１集音部が集音する前記混合音声と前記第２集音部が集音する前記外部音声とを用いて前記混合音声に含まれる前記外部音声を低減させる処理を行うノイズ処理部と、を備えることを特徴としている。
【０００９】
この構成によれば、音声入力装置は外部音声伝搬路を通して使用者の周囲の外部音声を外耳道まで伝搬する。さらに、音声入力装置は耳の内部で発生する使用者自身が発する音声と外部音声との混合音声から外部音声を低減させる。したがって、音声入力装置は使用者自身が発する音声の品質を向上させてその音声を相手に伝え易くし、使用者の耳に周囲の音声を届ける。
【００１０】
また、上記構成の音声入力装置において、前記第１集音部、前記第２集音部及び前記ノイズ処理部が一体として形成されることを特徴としている。
【００１１】
この構成によれば、部品点数や製造工程が少なくなる。さらに、例えば第１集音部、第２集音部及びノイズ処理部を機構的に一体として形成して各々の機能を達成することができれば、混合音声から外部音声を低減させるための構成を簡略化することができる。したがって、音声入力装置が簡便な構成になる。
【００１２】
また、上記構成の音声入力装置において、前記耳側に前記外耳道に連通する開口部を備える本体筐体と、前記開口部の箇所に設けた第１入力音孔から前記第１集音部まで延びる第１入力音声伝搬路と、前記本体筐体の外面に設けた第２入力音孔から前記第２集音部まで延びる第２入力音声伝搬路と、を備えることを特徴としている。
【００１３】
この構成によれば、混合音声が第１入力音孔及び第１入力音声伝搬路を介して第１集音部で集音される。さらに、外部音声が第２入力音孔及び第２入力音声伝搬路を介して第２集音部で集音される。このようにして、音声入力装置は混合音声から外部音声を低減させるために、混合音声と外部音声とを区別して取得する。
【００１４】
また、上記構成の音声入力装置において、前記外部音声伝搬路は、一方の端部が前記第１入力音声伝搬路に接続し、他方の端部側が前記本体筐体の外面に設けた第３入力音孔まで延びることを特徴としている。
【００１５】
この構成によれば、外部音声が外部音声伝搬路及び第１入力音声伝搬路を介して外耳道及び第１集音部まで伝搬する。このようにして、音声入力装置は混合音声を取得し、使用者の耳に外部音声を届ける。
【００１６】
また、上記構成の音声入力装置において、前記外部音声伝搬路が、前記本体筐体の外面に設けた第３入力音孔から前記開口部の箇所に設けた出力音孔まで延びることを特徴としている。
【００１７】
この構成によれば、外部音声が第１入力音声伝搬路を経由しない外部音声伝搬路を介して外耳道まで伝搬する。したがって、外耳道においてその外部音声と耳の内部音声とが混合され、混合音声が第１入力音声伝搬路を介して第１集音部で集音される。さらに、使用者には外部音声が直接届く。
【００１８】
また、上記構成の音声入力装置において、前記外部音声伝搬路が、自機の外面表面に設けられ前記耳の外部の空間と前記外耳道とを連通させる自機の内側に向かって窪んだ溝部からなることを特徴としている。
【００１９】
この構成によれば、外部音声が第１入力音声伝搬路を経由しない外部音声伝搬路を介して外耳道まで伝搬する。したがって、外耳道においてその外部音声と耳の内部音声とが混合され、混合音声が第１入力音声伝搬路を介して第１集音部で集音される。さらに、使用者には外部音声が直接届き、外部音声伝搬路が簡便な構成となる。
【００２０】
また本発明に係るイヤホンマイクは上記音声入力装置を備えることとした。
【００２１】
この構成によれば、例えばイヤホンマイクを使用して通話するときなどにおいて、イヤホンマイクは使用者自身が発する音声の品質を向上させてその音声を通話相手に伝え易くし、使用者の耳に周囲の音声を届ける。
【発明の効果】
【００２２】
本発明の構成によれば、使用者自身が発する音声の品質を向上させてその音声を相手に伝え易くすることができ、且つ使用者が周囲の音声を聞くことが可能な音声入力装置を提供することができる。
【図面の簡単な説明】
【００２３】
【図１】本発明の第１実施形態に係るイヤホンマイクの外観斜視図である。
【図２】本発明の第１実施形態に係るイヤホンマイクが使用者の耳に装着された状態を示す説明図である。
【図３】本発明の第１実施形態に係るイヤホンマイクの本体部の断面図である。
【図４】本発明の第１実施形態に係るイヤホンマイクの構成を示すブロック図である。
【図５】本発明の第２実施形態に係るイヤホンマイクの本体部の断面図である。
【図６】本発明の第２実施形態に係るイヤホンマイクの構成を示すブロック図である。
【図７】本発明の第３実施形態に係るイヤホンマイクの本体部の断面図である。
【発明を実施するための形態】
【００２４】
以下、本発明の実施形態を図１〜図７に基づき説明する。なおここでは、本発明の音声入力装置が、イヤホンに組み込まれて一体となった「イヤホンマイク」を例に掲げて説明する。
【００２５】
＜第１実施形態＞
最初に、本発明の第１実施形態に係るイヤホンマイクについて、図１及び図２用いてその構成の概略を説明する。図１はイヤホンマイクの外観斜視図、図２はイヤホンマイクが使用者の耳に装着された状態を示す説明図である。
【００２６】
イヤホンマイク１は図１に示すように本体部２、ケーブル３及びコネクタ４を備える。本体部２及びケーブル３は右耳用の本体部２Ｒ及びケーブル３Ｒと左耳用の本体部２Ｌ及びケーブル３Ｌとの対をなす。右耳用の本体部２Ｒは後述するマイクロフォン及びスピーカの両方を備えるが、左耳用の本体部２Ｌはスピーカのみを備える。なお以下では、右耳用の本体部２Ｒを用いて説明することとし、右耳用であることを示す識別符号「Ｒ」の記載を省略する。
【００２７】
本体部２は図２に示すように使用者の耳Ｅに装着される。コネクタ４は不図示の電子機器に対する入出力端子であって、ケーブル３を介して本体部２に電気的に接続される。本体部２はケーブル３及びコネクタ４を介して電子機器に対して音声信号を送受信する。
【００２８】
本体部２は接続された電子機器から受信した音声信号に基づく音声を使用者の外耳道Ｅ１及び鼓膜Ｅ２に向けて送出する。また、使用者が発する音声の一部は頭部の骨や筋肉を伝搬して鼓膜Ｅ２などを振動させ、外耳道Ｅ１に送出される。本体部２はこのように耳Ｅの内部で発生する内部音声と耳Ｅの外部で発生する外部音声とを集音し、それら音声に基づく音声信号を生成する。
【００２９】
続いて、イヤホンマイク１の本体部２の詳細な構成について、図１及び図２に加えて図３及び図４を用いて説明する。図３はイヤホンマイクの本体部の断面図、図４はイヤホンマイクの構成を示すブロック図である。なお、図３に描画した破線矢印はイヤホンマイク１に対して入出力する音声の進行経路及び進行方向を示す。
【００３０】
本体部２は図１及び図２に示すように略円筒形状をなし、イヤーパッド２１及び本体筐体２２を備える。
【００３１】
イヤーパッド２１は図３に示すように本体筐体２２の耳Ｅ側に設けられた開口部２２ａに取り付けられる。イヤーパッド２１は径方向内側に外耳道Ｅ１と開口部２２ａとを連通させる貫通孔２１ａを備える。イヤーパッド２１は外周部が外耳道Ｅ１を傷付けないよう例えば合成樹脂やゴムなどを用いて弾性を持たせて形成され、外耳道Ｅ１の内面形状に対応して変形可能である。イヤホンマイク１が使用者の耳Ｅに装着されると、イヤーパッド２１が外耳道Ｅ１の内面にほぼ隙間なく密着する。
【００３２】
本体筐体２２は例えば合成樹脂などで構成され、耳Ｅ側に外耳道Ｅ１に連通する開口部２２ａを備える。本体筐体２２は図３に示すようにスピーカ２３及びマイク部２４を備える。
【００３３】
スピーカ２３は本体筐体２２の内部に設けられた出力音声伝搬路２２ｂに配置される。出力音声伝搬路２２ｂは開口部２２ａの箇所に設けた出力音孔２２ｃまで延び、出力音孔２２ｃを介して貫通孔２１ａに連通する。スピーカ２３はその音声出力面２３ａが出力音孔２２ｃ側を向くように、出力音声伝搬路２２ｂが延びる方向に対して音声出力面２３ａが略垂直をなすよう配置される。なお、ここで説明するスピーカ２３の向きは一例であってそれに限定されるわけではなく、例えば出力音声伝搬路２２ｂが延びる方向に対して音声出力面２３ａが略平行をなすよう配置しても良い。スピーカ２３は電子機器から受信した音声信号に基づく音声を出力音声伝搬路２２ｂに伝搬させ、出力音孔２２ｃから外耳道Ｅ１に向けて送出する。
【００３４】
マイク部２４は本体筐体２２の内部に設けられた第１入力音声伝搬路２２ｄ及び第２入力音声伝搬路２２ｆの各々の一方の端部に配置される。マイク部２４は外形が略直方体形状に形成され、内部が中空の形態をなす。マイク部２４はその内部に、マイクロフォンチップ２４ａ、信号増幅部２４ｂ、第１集音部２４ｃ及び第２集音部２４ｄを備える。
【００３５】
マイクロフォンチップ２４ａはマイク部２４の略中央部に配置され、振動板２４ｅと、所定距離を隔て振動板２４ｅと対向配置される不図示の固定電極とを備える。これにより、マイクロフォンチップ２４ａはコンデンサ型のマイクロフォンチップからなる。振動板２４ｅはその平面部が図３の横方向及び紙面奥行き方向に沿って延びる。マイクロフォンチップ２４ａは図３における振動板２４ｅの上面側及び下面側の各々に音孔を備え、それら音孔各々を通して振動板２４ｅの上面及び下面に音声を届ける。振動板２４ｅはその上面側及び下面側から届く音声で振動する。
【００３６】
信号増幅部２４ｂはマイクロフォンチップ２４ａに近接して配置され、マイクロフォンチップ２４ａに電気的に接続される。信号増幅部２４ｂは振動板２４ｅの振動に起因するマイクロフォンチップ２４ａの静電容量の変化に基づき出力される電気信号を増幅処理する。
【００３７】
第１集音部２４ｃは振動板２４ｅの下面側に形成されるマイク部２４の内部空間からなる。第１集音部２４ｃはマイク部２４の上面に設けた第１入力音声伝搬路２２ｄに通じる開口から振動板２４ｅの下面側まで延び、第１入力音声伝搬路２２ｄと振動板２４ｅの下面側とを連通させる。なお、第１入力音声伝搬路２２ｄの他方の端部側は開口部２２ａの箇所に設けた第１入力音孔２２ｅまで延び、第１入力音孔２２ｅを介して貫通孔２１ａに連通する。第１集音部２４ｃは第１入力音声伝搬路２２ｄを伝搬する音声を集音する。
【００３８】
第２集音部２４ｄは振動板２４ｅの上面側に形成されるマイク部２４の内部空間からなる。第２集音部２４ｄはマイク部２４の上面に設けた第２入力音声伝搬路２２ｆに通じる開口から振動板２４ｅの上面側まで延び、第２入力音声伝搬路２２ｆと振動板２４ｅの上面側とを連通させる。なお、第２入力音声伝搬路２２ｆの他方の端部側は本体筐体２２の外面に設けた第２入力音孔２２ｇまで延び、第２入力音孔２２ｇを介して耳Ｅの外部に連通する。第２集音部２４ｄは第２入力音声伝搬路２２ｆを伝搬する音声を集音する。
【００３９】
第１入力音声伝搬路２２ｄの途中には外部音声伝搬路２２ｈの一方の端部が接続する。外部音声伝搬路２２ｈの他方の端部側は本体筐体２２の外面に設けた第３入力音孔２２ｋまで延び、第３入力音孔２２ｋを介して耳Ｅの外部に連通する。なお、ここで説明する外部音声伝搬路２２ｈの配置は一例であって図３に示した構成に限定されるわけではない。例えば外部音声伝搬路２２ｈを、図３における本体筐体２２の上側の外面で耳Ｅの外部に連通するよう配置しても良いし、また図３の紙面に対して奥行き方向に向かって耳Ｅの外部に連通するよう配置しても良い。
【００４０】
外部音声伝搬路２２ｈは耳Ｅの外部で発生する外部音声を第１入力音声伝搬路２２ｄを介して外耳道Ｅ１まで伝搬させる。すなわち、使用者はイヤーパッド２１が外耳道Ｅ１の内面にほぼ隙間なく密着している状態であっても、使用者の周囲の音声である外部音声を聞くことができる。そして、外部音声伝搬路２２ｈは耳Ｅの内部で発生して第１入力音声伝搬路２２ｄを伝搬する内部音声に外部音声を混合させる。
【００４１】
なお、外部音声伝搬路２２ｈを設けることで、内部音声の一部が外部音声伝搬路２２ｈを伝搬して第３入力音孔２２ｋから耳Ｅの外部空間に送出されることが考えられる。しかしながら、外耳道Ｅ１等の耳Ｅの内部空間に対して耳Ｅの外部空間が非常に大きいため、耳Ｅの外部空間に送出された内部音声については十分な空気の振動を得ることができない。したがって、第３入力音孔２２ｋから耳Ｅの外部空間に送出された内部音声は第２入力音孔２２ｇ及び第２入力音声伝搬路２２ｆを介して第２集音部２４ｄまで伝搬することはない。
【００４２】
このようにして、第１集音部２４ｃは耳Ｅの内部音声と外部音声とからなる混合音声を集音し、第２集音部２４ｄは耳Ｅの外部音声を集音する。
【００４３】
マイク部２４では、振動板２４ｅがその上面及び下面に加わる音圧の差によって振動する。外部音声は第１集音部２４ｃ及び第２集音部２４ｄの各々において集音され且つそれらの音圧差が小さいので、振動板２４ｅにて打ち消される。一方、内部音声、すなわち使用者自身が発する音声は第１集音部２４ｃにおいて集音され且つ第２集音部２４ｄにおいて集音されないので、振動板２４ｅにて打ち消されない。したがって、イヤホンマイク１は使用者自身が発する音声の品質を向上させてその音声を相手に伝え易くすることができる。
【００４４】
このように、マイク部２４は第１集音部２４ｃが集音する混合音声と第２集音部２４ｄが集音する外部音声とを用いて混合音声に含まれる外部音声を低減させる処理を行うノイズ処理部の機能を有する。すなわち、マイク部２４は第１集音部２４ｃ、第２集音部２４ｄ及びノイズ処理部が一体として形成された差動型マイクロフォンからなる。
【００４５】
そして、イヤホンマイク１はその動作制御のために、図３には図示しないが本体筐体２２の内部に制御部２５を収容する（図４参照）。制御部２５は不図示の演算部やその他の電子部品で構成され、記憶部２６等に予め記憶、入力されたプログラム、データに基づきイヤホンマイク１の各構成要素の動作を制御して一連の音声の入出力処理を実現する。
【００４６】
上記構成のイヤホンマイク１を例えば音楽などを聞くために使用するとき、スピーカ２３が不図示の電子機器から受信した音声を使用者の外耳道Ｅ１及び鼓膜Ｅ２に向けて送出する。スピーカ２３が図１に示す右耳用の本体部２Ｒ及び左耳用の本体部２Ｌの双方に設けられるので、使用者はイヤホンマイク１から送出される音声を左右の耳Ｅから個別に聞くことができる。なおこのとき、マイク部２４には集音の機能を停止させる。
【００４７】
一方、イヤホンマイク１を例えば電話機などに接続して通話のために使用するとき、第１集音部２４ｃが耳Ｅの内部音声と外部音声とからなる混合音声を集音する。さらに、第２集音部２４ｄが耳Ｅの外部音声を集音する。そして、マイク部２４が混合音声に含まれる外部音声を低減させる処理を行い、使用者自身が発する音声の品質を向上させる。制御部２５は使用者自身が発する音声に基づく音声信号を生成して電話機に送信する。なおこのとき、右耳用の本体部２Ｒのスピーカ２３には音声出力の機能を停止させ、通話相手が話す音声は左耳用の本体部２Ｌのスピーカ２３から出力されるようにする。
【００４８】
上記のように、本発明の実施形態の音声入力装置を備えるイヤホンマイク１は、使用者の耳Ｅの外部で発生する外部音声を外耳道Ｅ１まで伝搬させるための外部音声伝搬路２２ｈと、外耳道Ｅ１に連通して耳Ｅの内部で発生する内部音声と外部音声とからなる混合音声を集音する第１集音部２４ｃと、耳Ｅの外部の空間に連通して外部音声を集音する第２集音部２４ｄと、第１集音部２４ｃが集音する混合音声と第２集音部２４ｄが集音する外部音声とを用いて混合音声に含まれる外部音声を低減させる処理を行うノイズ処理部の機能を有するマイク部２４と、を備える。
【００４９】
この構成によれば、イヤホンマイク１は外部音声伝搬路２２ｈを通して使用者の周囲の外部音声を外耳道Ｅ１まで伝搬する。さらに、イヤホンマイク１は耳Ｅの内部で発生する使用者自身が発する音声と外部音声との混合音声から外部音声を低減させる。したがって、イヤホンマイク１は使用者自身が発する音声の品質を向上させてその音声を相手に伝え易くすることができ、使用者の耳に周囲の音声を届けることが可能になる。
【００５０】
また、マイク部２４は第１集音部２４ｃ、第２集音部２４ｄ及びノイズ処理部が一体として形成されるので、部品点数や製造工程が少なくなる。さらに、マイク部２４のように第１集音部２４ｃ、第２集音部２４ｄ及びノイズ処理部を機構的に一体として形成して各々の機能を達成することができれば、混合音声から外部音声を低減させるための構成を簡略化することができる。したがって、イヤホンマイク１を簡便な構成にすることが可能になる。
【００５１】
また、イヤホンマイク１は、耳Ｅ側に外耳道Ｅ１に連通する開口部２２ａを備える本体筐体２２と、開口部２２ａの箇所に設けた第１入力音孔２２ｅから第１集音部２４ｃまで延びる第１入力音声伝搬路２２ｄと、本体筐体２２の外面に設けた第２入力音孔２２ｇから第２集音部２４ｄまで延びる第２入力音声伝搬路２２ｆと、を備える。これにより、混合音声が第１入力音孔２２ｅ及び第１入力音声伝搬路２２ｄを介して第１集音部２４ｃで集音される。さらに、外部音声が第２入力音孔２２ｇ及び第２入力音声伝搬路２２ｆを介して第２集音部２４ｄで集音される。このようにして、イヤホンマイク１は混合音声から外部音声を低減させるために、混合音声と外部音声とを区別して取得することが可能である。
【００５２】
また、外部音声伝搬路２２ｈは、一方の端部が第１入力音声伝搬路２２ｄに接続し、他方の端部側が本体筐体２２の外面に設けた第３入力音孔２２ｋまで延びる。これにより、外部音声が外部音声伝搬路２２ｈ及び第１入力音声伝搬路２２ｄを介して外耳道Ｅ１及び第１集音部２４ｃまで伝搬する。このようにして、イヤホンマイク１は混合音声を取得することができ、使用者の耳に外部音声を届けることが可能である。
【００５３】
＜第２実施形態＞
次に、本発明の第２実施形態に係るイヤホンマイクについて、図５及び図６を用いてその構成を説明する。図５はイヤホンマイクの本体部の断面図、図６はイヤホンマイクの構成を示すブロック図である。なお、この実施形態の基本的な構成は図１〜図４を用いて先に説明した第１実施形態と同じであるので、第１実施形態と共通する構成要素には前と同じ符号を付し、図面の記載及びその説明を省略するものとする。
【００５４】
第２実施形態のイヤホンマイク１は、マイク部２４が図５及び図６に示すように第１マイクロフォン２４ｆ（第１集音部）及び第２マイクロフォン２４ｇ（第２集音部）を個別に備える。
【００５５】
第１マイクロフォン２４ｆは本体筐体２２の内部に設けられた第１入力音声伝搬路２２ｄの一方の端部に配置される。第１入力音声伝搬路２２ｄの他方の端部側は開口部２２ａの箇所に設けた第１入力音孔２２ｅまで延び、第１入力音孔２２ｅを介して貫通孔２１ａに連通する。第１マイクロフォン２４ｆとしては、例えばＭＥＭＳ（Micro Electro Mechanical Systems）マイク、ＥＣＭ（Electret Condenser Microphone）などといったマイクロフォンを用いることができる。第１マイクロフォン２４ｆは第１入力音声伝搬路２２ｄを伝搬する音声を集音する。
【００５６】
第２マイクロフォン２４ｇは本体筐体２２の内部に設けられた第２入力音声伝搬路２２ｆの一方の端部に配置される。第２入力音声伝搬路２２ｆの他方の端部側は本体筐体２２の外面に設けた第２入力音孔２２ｇまで延び、第２入力音孔２２ｇを介して耳Ｅの外部に連通する。第２マイクロフォン２４ｇとしては第１マイクロフォン２４ｆ同様、例えばＭＥＭＳマイク、ＥＣＭなどといったマイクロフォンを用いることができる。第２マイクロフォン２４ｇは第２入力音声伝搬路２２ｆを伝搬する音声を集音する。
【００５７】
さらに、第２実施形態のイヤホンマイク１は、図５に示す外部音声伝搬路２２ｈを備える。外部音声伝搬路２２ｈは本体筐体２２の外面に設けた第３入力音孔２２ｋから開口部２２ａの箇所に設けた外部音声出力音孔２２ｍまで延びる。外部音声伝搬路２２ｈは耳Ｅの外部の空間と外耳道Ｅとを連通させる。そして、外部音声伝搬路２２ｈは耳Ｅの内部で発生して外耳道Ｅを伝搬する内部音声に外部音声を混合させる。
【００５８】
外部音声伝搬路２２ｈは出力音声伝搬路２２ｂ、第１入力音声伝搬路２２ｄ及び第２入力音声伝搬路２２ｆとは独立して形成される。なお、ここで説明する外部音声伝搬路２２ｈの配置は一例であって図５に示した構成に限定されるわけではない。例えば外部音声伝搬路２２ｈを、図５における本体筐体２２の右側の外面で耳Ｅの外部に連通するよう配置しても良いし、また図５の紙面に対して奥行き方向に向かって耳Ｅの外部に連通するよう配置しても良い。
【００５９】
このようにして、第１マイクロフォン２４ｆは耳Ｅの内部音声と外部音声とからなる混合音声を集音し、混合音声に基づく音声信号を生成する。第２マイクロフォン２４ｇは耳Ｅの外部音声を集音し、外部音声に基づく音声信号を生成する。
【００６０】
また、制御部２５は図６に示すノイズ処理部２７を備える。なおここでは、制御部２５がノイズ処理部２７を備える構成としているが、制御部２５とは別にしてノイズ処理部２７を備える構成であっても良い。
【００６１】
ノイズ処理部２７は第１マイクロフォン２４ｆから得られる混合音声に係る情報と第２マイクロフォン２４ｇから得られる外部音声に係る情報とを比較し、混合音声に含まれる外部音声を低減させる処理を行う。この処理方法としては、例えば外部音声に係る情報から外部音声とは逆位相の音声に係る情報を生成し、それを第１マイクロフォン２４ｆから得られる混合音声に重ね合わせて相殺するなどといった方法を用いることができる。これにより、イヤホンマイク１は内部音声、すなわち使用者自身が発する音声の品質を向上させてその音声を相手に伝え易くすることができる。
【００６２】
この構成によれば、外部音声が第１入力音声伝搬路２２ｄを経由しない外部音声伝搬路２２ｈを介して外耳道Ｅ１まで伝搬する。したがって、外耳道Ｅ１においてその外部音声と耳Ｅの内部音声とを混合し、混合音声を第１入力音声伝搬路２２ｄを介して第１マイクロフォン２４ｆで集音することができる。さらに、使用者には外部音声を直接届けることが可能である。
【００６３】
＜第３実施形態＞
次に、本発明の第３実施形態に係るイヤホンマイクについて、図７を用いてその構成を説明する。図７はイヤホンマイクの本体部の断面図である。なお、この実施形態の基本的な構成は図１〜図４を用いて先に説明した第１実施形態と同じであるので、第１実施形態と共通する構成要素には前と同じ符号を付し、図面の記載及びその説明を省略するものとする。
【００６４】
第３実施形態のイヤホンマイク１は、図７に示す外部音声伝搬路２２ｈを備える。外部音声伝搬路２２ｈはイヤーパッド２１の外面表面に設けられたイヤーパッド２１の径方向内側に向かって窪んだ溝部からなる。外部音声伝搬路２２ｈはイヤーパッド２１の外部の空間側に設けた外部音声入力部２２ｎから外耳道Ｅ１側に設けた外部音声出力部２２ｐまで延びる。外部音声伝搬路２２ｈは本体部２が使用者の耳Ｅにしっかりと装着された状態であっても、耳Ｅの外部の空間と外耳道Ｅとを連通させる空間を確保する。
【００６５】
外部音声伝搬路２２ｈは出力音声伝搬路２２ｂ、第１入力音声伝搬路２２ｄ及び第２入力音声伝搬路２２ｆとは独立して形成される。なお、図７には複数の外部音声出力部２２ｐを描画して外部音声伝搬路２２ｈが複数箇所に設けられていることとしているが、外部音声伝搬路２２ｈは１箇所であっても良い。
【００６６】
この構成によれば、外部音声が第１入力音声伝搬路２２ｄを経由しない外部音声伝搬路２２ｈを介して外耳道Ｅ１まで伝搬する。したがって、外耳道Ｅ１においてその外部音声と耳Ｅの内部音声とを混合し、混合音声を第１入力音声伝搬路２２ｄを介して第１集音部２４ｃで集音することができる。さらに、使用者には外部音声を直接届けることができ、外部音声伝搬路２２ｈを簡便な構成にすることが可能である。
【００６７】
以上、本発明の実施形態につき説明したが、本発明の範囲はこれに限定されるものではなく、発明の主旨を逸脱しない範囲で種々の変更を加えて実施することができる。
【００６８】
例えば、上記各実施形態を複数組み合わせて用いても良い。
【００６９】
また、第１及び第３実施形態ではイヤホンマイク１が第１集音部２４ｃ、第２集音部２４ｄ及びノイズ処理部が一体となったマイク部２４を備え、第２実施形態ではイヤホンマイク１が第１マイクロフォン２４ｆ（第１集音部）、第２マイクロフォン２４ｇ（第２集音部）及びノイズ処理部２７を個別に備えることとしたが、これらのマイク部及びノイズ処理部の組合せをいずれの実施形態のイヤホンマイクに適用しても良い。
【産業上の利用可能性】
【００７０】
本発明は音声入力装置において利用可能である。
【符号の説明】
【００７１】
１    イヤホンマイク（音声入力装置）
２    本体部
２１    イヤーパッド
２１ａ    貫通孔
２２    本体筐体
２２ａ    開口部
２２ｄ    第１入力音声伝搬路
２２ｅ    第１入力音孔
２２ｆ    第２入力音声伝搬路
２２ｇ    第２入力音孔
２２ｈ    外部音声伝搬路
２２ｋ    第３入力音孔
２２ｍ    外部音声出力音孔（出力音孔）
２３    スピーカ
２４    マイク部
２４ｃ    第１集音部
２４ｄ    第２集音部
２４ｆ    第１マイクロフォン（第１集音部）
２４ｇ    第２マイクロフォン（第２集音部）
２５    制御部
２７    ノイズ処理部
【図１】
2015023494.tif 000003
【図２】
2015023494.tif 000004
【図３】
2015023494.tif 000005
【図４】
2015023494.tif 000006
【図５】
2015023494.tif 000007
【図６】
2015023494.tif 000008
【図７】
2015023494.tif 000009